【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
体内に配置されかつ外壁を備えた心臓の機能を補助するためのプロセスであって、
ａ．前記心臓の前記機能を示す少なくとも一つのパラメータを測定するステップと、
ｂ．前記心臓の前記外壁の一部分に圧迫力を加えるステップと、
ｃ．前記心臓の前記外壁の前記部分に膨張力を加えるステップと、
を含むプロセス。
【請求項２】
前記少なくとも一つの測定パラメータが、左心室血圧、左心房血圧、大動脈血圧、右心室血圧、右心房血圧、肺血圧、左心室容積、右心室容積、大動脈血流量、肺血流量、左心室血流速度、大動脈血流速度、右心室血流速度、肺血流速度、心中核直径、乳酸塩濃度、サイトカイン濃度、パラホルモン濃度、酸化窒素濃度、酸素遊離基濃度、メタロプロテイナーゼ濃度、Ｃ反応性たんぱく質濃度、酸素濃度、二酸化炭素濃度、前記心臓の少なくとも一部分の電位、および前記心臓の少なくとも一部分の電流から成る群から選択される、請求項１に記載のプロセス。
【請求項３】
前記心臓の前記機能を示す第二パラメータを測定するステップをさらに含む、請求項１に記載のプロセス。
【請求項４】
前記心臓の前記機能を示す第三パラメータを測定するステップをさらに含む、請求項３に記載のプロセス。
【請求項５】
心臓駆出分を測定するステップをさらに含む、請求項４に記載のプロセス。
【請求項６】
前記パラメータに基づき前記圧迫力の大きさを制御するステップをさらに含む、請求項１に記載のプロセス。
【請求項７】
前記パラメータに基づき前記膨張力の大きさを制御するステップをさらに含む、請求項１に記載のプロセス。
【請求項８】
前記心臓の前記外壁の前記部分に隣接するライナに前記圧力を加えることによって、前記圧力が前記心臓の前記外壁の前記部分に加えられ、そして、前記ライナと接触する流体によって前記圧力が前記ライナに加えられる、請求項１に記載のプロセス。
【請求項９】
前記心臓の前記外壁の前記部分に真空を加えることによって、前記膨張力が加えられる、請求項８に記載のプロセス。
【請求項１０】
体内に配置されかつ外壁を備えた心臓の機能を補助するための器具であって、
ａ．外壁、内壁、尖端、および上縁を有するカップ状シェルと、
ｂ．外面および内面、前記カップ状シェルの前記内壁に接合された上縁、ならびに前記カップ状シェルの前記内壁に接合された下縁を有し、それによってその前記外面と前記シェルの前記内壁との間に空洞を形成するライナと、
ｃ．前記空洞内に循環するように間置され、前記心臓の前記外壁の一部分に均等な力を加える駆動流体と、
を備えた装置。
【請求項１１】
前記ライナが弾性ライナである、請求項１０に記載の装置。
【請求項１２】
前記弾性ライナがシリコンポリマである、請求項１１に記載の装置。
【請求項１３】
前記ライナが第一治療薬を含む、請求項１０に記載の装置。
【請求項１４】
前記第一治療薬が前記ライナ全体に拡散される、請求項１３に記載の装置。
【請求項１５】
前記第一治療薬が前記ライナの前記内面のコーティングとして備わっている、請求項１３に記載の装置。
【請求項１６】
前記ライナが第一膜および第二膜を備え、前記第一治療薬が前記第一膜と前記第二膜との間に配置される、請求項１３に記載の装置。
【請求項１７】
前記第一治療薬が、抗炎症薬、遺伝子治療薬、遺伝子導入剤、幹細胞、化学誘引物質、細胞再生薬、心室リモデリング剤、抗感染薬、腫瘍抑制薬、組織および／または細胞工学薬、造影剤、組織染色剤、栄養物、およびそれらの混合物から成る群から選択される、請求項１３に記載の装置。
【請求項１８】
前記カップ状シェルが、交互のリブおよび空洞の中空壁を含む、請求項１０に記載の装置。
【請求項１９】
前記カップ状シェルが内側シェル壁および外側シェル壁をさらに含み、前記リブが前記内側シェル壁および前記外側シェル壁に接合される、請求項１８に記載の装置。
【請求項２０】
前記リブが前記カップ状シェルの前記上縁から前記カップ状シェルの前記尖端の方向に整列する、請求項１９に記載の装置。
【請求項２１】
前記リブが前記カップ状シェルの周りで周方向に整列する、請求項１９に記載の装置。
【請求項２２】
体内に配置されかつ外壁を備えた心臓の機能を補助するための器具であって、
ａ．内側表面および外側表面とを有するカップ状シェルと、
ｂ．外面、前記カップ状シェルの前記内壁に接合された上縁、および前記カップ状シェルの前記内壁に接合された下縁を有し、それによってその前記外面と前記シェルの前記内側表面との間に空洞を形成するライナと、
ｃ．前記空洞内に循環するように間置される駆動流体と、
ｄ．少なくとも一つのパラメータを測定する少なくとも一つのセンサと、
を備えた装置。
【請求項２３】
前記少なくとも一つのセンサが、超音波エネルギを発生するための手段と、超音波エネルギを受け取る手段とを含む、請求項２２に記載の装置。
【請求項２４】
前記超音波センサのための手段が前記カップ状シェルの前記尖端に配置される、請求項２３に記載の装置。
【請求項２５】
前記少なくとも一つのセンサが一体化磁気共鳴送受信コイルを含む、請求項２２に記載の装置。
【請求項２６】
前記一体化磁気共鳴コイルが前記カップ状シェルの前記外側表面と前記内側表面との間に配置される、請求項２５に記載の装置。
【請求項２７】
前記一体化磁気共鳴コイルが、前記カップ状シェルの前記外側表面上に形成された支持リング内に配置される、請求項２５に記載の装置。
【請求項２８】
前記少なくとも一つのセンサが電気生理学的センサである、請求項２２に記載の装置。
【請求項２９】
前記電気生理学的センサが前記カップ状シェルの前記内側表面上に配置される、請求項２８に記載の装置。
【請求項３０】
前記ライナが複数の電気生理学的センサをさらに含む、請求項２８に記載の装置。
【請求項３１】
前記少なくとも一つのセンサが圧力センサである、請求項２２に記載の装置。
【請求項３２】
前記少なくとも一つの圧力センサが前記空洞内に配置される、請求項３１に記載の装置。
【請求項３３】
前記少なくとも一つの圧力センサが前記カップ状シェルの前記内側表面上に配置される、請求項３１に記載の装置。
【請求項３４】
前記少なくとも一つの圧力センサが前記ライナ内に配置される、請求項３１に記載の装置。
【請求項３５】
前記少なくとも一つのセンサが流量センサである、請求項２２に記載の装置。
【請求項３６】
前記少なくとも一つの流量センサが前記空洞内に配置される、請求項３５に記載の装置。
【請求項３７】
前記少なくとも一つの流量センサが前記カップ状シェルの前記内側表面に配置される、請求項３５に記載の装置。
【請求項３８】
前記駆動流体が前記空洞と連通する管腔を介して前記空洞内に循環するように間置され、前記少なくとも一つの流量センサが前記管腔内に配置される、請求項３５に記載の装置。
【請求項３９】
患者の生体内に配置されかつ外壁を備えた心臓の機能を補助するためのプロセスであって、前記プロセスは制御装置を利用し、
ａ．前記心臓の前記機能に関する少なくとも一つのパラメータの少なくとも一つの値を前記制御装置にインポートするステップと、
ｂ．アルゴリズムを使用して、前記一つのパラメータの前記少なくとも一つの値に基づき、少なくとも一つのコマンド命令を策定するステップと、
ｃ．前記制御装置から前記少なくとも一つのコマンド命令をエクスポートするステップと、
を含むプロセス。
【請求項４０】
前記少なくとも一つのパラメータが前記患者によって入力される、請求項３９に記載のプロセス。
【請求項４１】
前記少なくとも一つのパラメータが医師によって入力される、請求項３９に記載のプロセス。
【請求項４２】
前記少なくとも一つのパラメータが治療反応要素である、請求項３９に記載のプロセス。
【請求項４３】
前記少なくとも一つのパラメータが電気生理学的パラメータである、請求項３９に記載のプロセス。
【請求項４４】
前記少なくとも一つのパラメータが生化学マーカである、請求項３９に記載のプロセス。
【請求項４５】
前記生化学マーカが、乳酸塩、Ｃ反応性たんぱく質、酸素、および二酸化炭素から成る群から選択される、請求項４４に記載のプロセス。
【請求項４６】
前記少なくとも一つのパラメータが血圧である、請求項３９に記載のプロセス。
【請求項４７】
前記少なくとも一つのパラメータが心臓駆出分である、請求項３９に記載のプロセス。
【請求項４８】
前記少なくとも一つのパラメータが超音波画像データから推測される、請求項３９に記載のプロセス。
【請求項４９】
前記少なくとも一つのパラメータが磁気共鳴画像データから推測される、請求項３９に記載のプロセス。
【請求項５０】
前記少なくとも一つのパラメータが、前記患者の以前の側面を定量化する数値である、請求項３９に記載のプロセス。
【請求項５１】
前記少なくとも一つのパラメータが前記患者の予測パラメータである、請求項３９に記載のプロセス。
【請求項５２】
第二パラメータの少なくとも一つの値をインポートするステップをさらに含む、請求項３９に記載のプロセス。
【請求項５３】
前記直接機械的心室補助装置の少なくとも一つのパラメータの少なくとも一つの値をインポートするステップをさらに含む、請求項５２に記載のプロセス。
【請求項５４】
前記直接機械的心室補助装置の前記少なくとも一つのパラメータが駆動流体圧力である、請求項５３に記載のプロセス。
【請求項５５】
前記直接機械的心室補助装置の前記少なくとも一つのパラメータが駆動流体流量である、請求項５３に記載のプロセス。
【請求項５６】
前記アルゴリズムの前記少なくとも一つのコマンド命令が、前記心臓にトレーニングを提供するように前記直接機械的心室補助装置に命令する、請求項５３に記載のプロセス。
【請求項５７】
前記アルゴリズムの前記少なくとも一つのコマンド命令が、前記心臓の再生を補助するように前記直接機械的心室補助装置に命令する、請求項５２に記載のプロセス。
【請求項５８】
前記少なくとも一つのコマンド命令をエクスポートする前記ステップが第一治療薬の送達を命令する、請求項５２に記載のプロセス。
【請求項５９】
前記少なくとも一つのコマンド命令をエクスポートする前記ステップが、組織足場材、生化学物質、幹細胞、および電気的刺激から成る群から選択される前記第一再生医薬の送達を命令する、請求項５２に記載のプロセス。
【請求項６０】
体内に配置されかつ外壁を備えた心臓による循環血液のポンピングを補助するための装置であって、
ａ．膜によって前記心臓の前記外壁の一部分に均等な力を加えるための手段と、
ｂ．駆動流体を前記膜に周期的に当てることにより前記膜を駆動する手段と、
ｃ．前記体内に埋め込まれた前記作動流体の周期的ポンピングのための手段と、
を備え、前記循環血液が前記装置との接触から隔離されて成る装置。
【請求項６１】
前記膜が、多孔性であって、治療対象の所期組織に治療薬を送達する手段を含み、前記膜が前記治療対象の所期組織の少なくとも一部分と接触する、請求項６０に記載の装置。